(57)【要約】  開示されているのは、脂肪組織治療のための使い捨て針である。針は、第一端と第二端を有する光伝導体からなる。第一端は脂肪組織中への導入のために構成されており、第二端はレーザー放射のソースに接続するように適応されている。脂肪組織治療のために、針は組織中に導入され、レーザー放射が治療されるべき組織のセグメントに印加される。
2011509791.tif 000002
【特許請求の範囲】
【請求項１】
脂肪組織レーザー治療のための使い捨て針であって、前記針は第一端と第二端を有する光伝導体を含み、第一端は脂肪組織中への導入のために構成されており、第二端は少なくともレーザー放射のソースに接続するように適応されている、使い捨て針。
【請求項２】
針が、円筒、楕円、または多角形の形状を有する、請求項１による使い捨て針。
【請求項３】
針の第一端が、端子、光学軸に垂直な平面、光学軸に対して角度を持った平面、または半径のグループの一つによって終端されている、請求項１による使い捨て針。
【請求項４】
抗炭化材料が、針の第一端を終端する、請求項１による使い捨て針。
【請求項５】
コネクターが、針の第二端を終端する、請求項１による使い捨て針。
【請求項６】
コネクターが、光ファイバーコネクターまたは光ファイバーコネクターと液体伝導チャネルの組み合わせのグループの一つである、請求項５によるコネクター。
【請求項７】
針の第二端は、レーザー放射のソースに直接または光ファイバーケーブルを介して接続する、請求項１による使い捨て針。
【請求項８】
光伝導体が、
レーザー放射伝導ガイドと、
保護ジャケットであって、前記ジャケットは流体伝導構造であるものと、
を更に含む、請求項１による使い捨て針。
【請求項９】
前記レーザー放射伝導ガイドが、固体または中空のガイドのグループの一つである、請求項１または８のいずれか一つによる使い捨て針。
【請求項１０】
前記ジャケットが、脂肪組織レーザー治療生成物除去のための設備に接続されている、請求項８による使い捨て針。
【請求項１１】
治療された組織容積上に位置し、針の第一端に付き従って影響された組織容積上の組織の表面の温度を測定するように構成された温度センサーを更に含む、請求項１または８のいずれか一つによる使い捨て針。
【請求項１２】
温度センサーは、接触センサーまたは非接触センサーのグループの一つである、請求項１または８のいずれか一つによる使い捨て針。
【請求項１３】
温度センサーが、治療された皮膚容積に結合されたレーザーパワーを制御するコントローラに温度表示度数を提供する、請求項１または８のいずれか一つによる使い捨て針。
【請求項１４】
脂肪組織レーザー治療のための装置であって、前記装置は、
使い捨て針であって、
脂肪組織中への導入のために構成された第一端と、少なくともレーザー放射のソースに接続するように適応された第二端を有する光伝導体と、
一つ以上の流体伝導チャネルとを、含む使い捨て針と、
コントローラであって、
脂肪組織レーザー治療生成物除去のための設備と、
一つ以上のレーザーパワーサプライと、を含むコントローラと、
温度センサーを読み、安全性組織治療を提供すべくレーザーパワーを適応させるように構成されたフィードバック処理設備と、
を含む装置。
【請求項１５】
前記脂肪組織レーザー治療生成物除去のための設備がポンプである、請求項１４による装置。
【請求項１６】
前記レーザー放射のソースが連続放射モードの一つまたはパルスで動作する、請求項１４による装置。
【請求項１７】
前記針が、レーザー放射のソースに直接または光ファイバーケーブルを介して接続するように構成されている、請求項１４による装置。
【請求項１８】
ユーザインターフェースを提供し、前記レーザー放射のソースと脂肪組織レーザー治療生成物除去のための設備の動作を同期させるコントローラを更に含む、請求項１４による装置。
【請求項１９】
針の第一端に付き従って影響された組織容積上の組織表面の温度を測定するように構成された温度センサーを更に含む、請求項１４による使い捨て針。
【請求項２０】
温度センサーは、接触センサーまたは非接触センサーのグループの一つである、請求項１４または１９による使い捨て針。
【請求項２１】
温度センサーが、治療された組織容積に結合されたレーザーパワーを制御するコントローラに温度表示度数を提供する、請求項１４または１９のいずれか一つによる使い捨て針。
【請求項２２】
脂肪組織レーザー治療のための方法であって、前記方法は、
脂肪組織の標的容積中に、脂肪組織中への導入のために構成された第一端と、少なくともレーザー放射のソースに接続するように適応された第二端を有する光伝導体を含んだ針を導入することと、
脂肪組織の前記標的容積を照射して前記組織を溶解するように少なくとも一つのレーザーソースを動作させることと、
を含む方法。
【請求項２３】
少なくとも一つのレーザーは連続動作モード（ＣＷ）で動作し、少なくとも一つのレーザーはパルス動作モードで動作する、請求項２２による方法。
【請求項２４】
連続動作モード（ＣＷ）で動作するレーザーは脂肪組織を加熱し、パルスモードで動作するレーザーは脂肪組織上に機械的ストレスを誘導する、請求項２３による方法。
【請求項２５】
脂肪組織の標的容積の温度を監視し、照射されている場所への過度の損傷を防止するようにレーザーパワーを適応させることを更に含む、請求項２２による方法。
【請求項２６】
両方のレーザーが、照射されている場所における脂肪組織に影響を与える、請求項２２による方法。
【請求項２７】
一つ以上のレーザーソースと同時に動作する脂肪組織レーザー治療生成物除去のための設備を更に含む、請求項２２による方法。
【請求項２８】
脂肪組織レーザー治療のための方法であって、前記方法は、
脂肪組織の標的容積中に針を導入することであって、針は、脂肪組織中への導入のために構成された第一端と、少なくともレーザー放射のソースに接続するように適応された第二端を有する光伝導体を含むことと、
脂肪組織（脂肪セル）の前記標的容積を加熱するように一つのレーザーソースを動作させ、脂肪組織（脂肪セル）上に機械的ストレスを誘導するように第二のレーザーソースを動作させることと、
を含む方法。
【請求項２９】
脂肪組織の標的容積を加熱しているレーザー放射のソースは連続モードで動作し、脂肪組織上に機械的ストレスを誘導しているレーザー放射のソースはパルスモードで動作する、請求項２８による方法。
【請求項３０】
連続モードで動作している前記レーザーソースとパルスモードで動作しているレーザーソースはほぼ同時に動作する、請求項２９による方法。
【請求項３１】
請求項１の針の使用方法であって、前記方法は、
前記針を少なくとも一つのレーザー放射のソースに接続して、レーザー放射のソースを動作させることと、
針を脂肪組織に標的容積中に導入することと、
脂肪組織の少なくとも或る容積を液体に転換するのに十分なパワーのレーザー放射を供給することと、
治療の完了に際して針を処分することと、
を含む方法。
【発明の詳細な説明】
【技術分野】
【０００１】
本機器、装置および方法は、脂肪組織治療と美容ボディスカルプチャリングの分野に関する。
【背景技術】
【０００２】
リポサクションは、特定の人体中の異なるサイトから脂肪組織を除去するための技術である。プロセスは、体の外郭を変化させ、ボディスカルプチャリングとして記述されることもある。脂肪は、体内の適切なサイト中に挿入された排管を介して吸引装置によって除去される。プロセスは痛みを伴い、過剰な出血を引き起こすこともある。
【０００３】
近年、リポサクション手順は、排管中に挿入されたファイバーを通して配送され、治療された組織サイト中に導入された赤外線レーザー放射の使用によって改善されている。レーザー放射は脂肪組織を液化する。液化された脂肪は、吸引によって除去されるか、体内に残され、そこでそれは徐々に消失する。レーザー支援リポサクションは、伝統的リポサクション技術と比較された時、より進歩した最小侵襲性手順と考えられる。
【０００４】
ファイバーの先端において発展する高温は、頻繁なファイバー先端の炭化を引き起こし、治療の継続のために、ファイバーを取り外し、炭化した端を洗浄するかまたは端を割り剥がしてそれを排管中に挿入し直すことを治療提供者に強要する。ファイバーを持った排管はまた、同じ皮膚ポートを通して行われる液化組織吸引のために取り外される必要がある。ファイバーと排管は、異なるプロセスおよび患者の間で殺菌消毒される必要がある。代替的に、新たな無菌のファイバーおよび排管が使用されるべきである。上記の全てはプロセスを遅くし、治療される被験者の不快感と治療の費用の両方を増加させる。
【０００５】
これらおよびその他の既存の問題点への好適な解決策を業界は歓迎するであろう。
【図面の簡単な説明】
【０００６】
【図１】図１は、使い捨てレーザー放射伝達針の第一の例示的実施形態の概略描写である。
【図２】図２は、図１の針の断面の概略描写である。
【図３】図３Ａと３Ｂは、追加の例示的針断面の概略描写である。
【図４】図４は、抗炭化先端を持った、使い捨てレーザー放射伝達針の第二の例示的実施形態の概略描写である。
【図５】図５は、本針を採用したレーザー支援リポサクションのための装置の例示的実施形態の概略描写である。
【図６】図６Ａ−６Ｃは、液化脂肪除去チャネルを持った、使い捨てレーザー放射伝達針の第三の例示的実施形態の概略描写である。
【図７】図７は、本使い捨てレーザー放射伝達針を採用した組織治療の装置と方法の概略描写である。
【図８】図８は、使い捨てレーザー放射伝達針の第四の例示的実施形態の概略描写である。
【図９】図９は、本針を採用したレーザー支援リポサクションのための装置の追加の例示的実施形態の概略描写である。
【発明を実施するための形態】
【０００７】
開示は、添付の図面を参照して、非限定的な例としてのみ提供される。
【０００８】
それにより記載される機器、装置および方法の原理と実行は、図面を参照して理解されても良く、そこでは非限定的な例示的実施形態のいくつかの図と同伴する記載を通して同様の参照符号が同様の要素を表記する。
【０００９】
本開示の文章中で使われる「針」という用語は、脂肪組織の標的容積にレーザー放射を配送するよう被験者組織中に挿入されるように構成された柔軟であるかまたは硬い光ガイドを意味する。或る実施形態では、針は上記に加えて標的容積から液体を引き出すように構成されることができる。
【００１０】
使い捨てレーザー放射伝達針の第一の例示的実施形態の概略描写である、図１を参照する。針１００は実際には、第一端１０８と第二端１１２を有する針形状の固体または中空の光伝導体１０４である。（本開示の文脈では「光」と「レーザー放射」は同じ意味を持つ。）第一端１０８は、被験者（図示せず）の皮膚を突刺して貫通するための形状であることができ、第二端１１２は、針の長さ次第で、光ファイバー型コネクター１１６により、または追加の中間ケーブルの助けを借りて、レーザー放射のソースに直接接続するように適応されている。針１００の長さは、数ミリメートルから数百ミリメートルまで変動しても良く、要求される治療の種類に依る。レーザー放射のソースへの接続は、あらゆるタイプの光ファイバーまたは同様のタイプのコネクターによって行われても良い。ライン１１８は針１００の光学軸を指定する。
【００１１】
図２は、丸い断面を有する針１００の断面である。針１００は、固体光伝導コア１２０、コア１２０よりも低い屈折率を有するクラディング１２４、敏感なファイバーを保護し針に必要な硬度を提供する保護ジャケット１２８を含む。図３Ａと３Ｂに示すいくつかの実施形態では、ジャケット１３２は、楕円（図３Ａ）または多角形（図３Ｂ）の断面を有していても良い。コア１２０の直径は、１００ミクロンから１５００ミクロンであっても良く、クラディング１２４の直径は２００ミクロンから２５００ミクロンであっても良く、ジャケット１２８、１３２、１３６のサイズは５００ミクロンから３０００ミクロンまたはそれ以上であっても良い。針本体１０４のコネクター１１６への接続は、圧着、エポキシ接着剤、または光ファイバー業界で確立されているあらゆる他の周知の手段によって行われても良い。
【００１２】
針１００の第一端１０８は、被験者の皮膚を突刺すための形状であっても良く、光学軸１１８に垂直であるかまたは針１００の光学軸１１８に角度を持って向けられている平面によって終端されていても良い。代替的に、端１０８は、半径または鈍角を持っていても良い。そのような場合には、皮膚切開があらゆる周知の外科手術手段によってなされ、針が組織中に導入される。皮膚貫通特性またはレーザーパワー配送品質を向上するその他の針端１０８の形状が可能である。
【００１３】
代替的実施形態では、針１００の端を通して放出されたレーザー放射は、連続またはパルス状レーザーパワーに好適な皮膚切開を提供することによって、針１００が皮膚貫通プロセスに入ることを支援する。そのようなレーザーによって行われた切開は、それが同時的止血効果を伴い、それは血液を凝固し、患者の出血を削減し、回復期間を短縮するので、いくつかの側面において有利であり得る。
【００１４】
図４に示された使い捨てレーザー放射伝達針の第二の例示的実施形態では、針１００の第一端１０８は、サファイア、ＹＡＧ（イットリウムアルミナムガーネット）またはダイヤモンドの板１４０または被膜によって終端されている。使用中には、組織の高レーザーパワーとの相互作用から結果として生じる或る材料が針１００の端１０８上に堆積する。これらの炭化堆積物は、針１００の端１０８におけるレーザー光吸収を増加し、この堆積物は定期的に除去されるべきである。炭化堆積物中の強いレーザーパワー吸収は、端１０８における局所温度を増加させて針損傷に結果としてなることができる。サファイア、ＹＡＧおよびダイヤモンドまたは同様の材料は、一般に高温に対して耐性があり、針１００の第一端１０８の終端としてのそれらの使用は、針寿命とその抗炭化性を顕著に向上する。
【００１５】
図５は、本針を採用したレーザー支援リポサクションのための装置の例示的実施形態の概略描写である。コネクター１１６は、針１００を、ソースに組み込まれた一つ以上のレーザーによって放出されたレーザー放射を針１００に提供するように構成されたレーザー放射のソース１６０に、光ケーブル１５６を介して接続する。レーザー放射ソース１６０は、コントローラ１６４中にパッケージ化されていても良く、独立型ユニットであっても良い。いくつかの実施形態では、針１００はレーザー放射のソース１６０に直接接続するのに十分な長さにされていても良い。そのような場合には、光ケーブル１５６は冗長となり得る。コントローラ１６４は、レーザー放射のソース１６０をパルスまたは連続放射モードで動作させても良い。
【００１６】
コントローラ１６４は更に、脂肪組織レーザー治療生成物除去のための設備１６８とディスプレイ１７２、またはユーザインターフェースを提供し前記レーザー放射のソース１６０の動作を設備１６８と同期させるボタンの組、を含んでいても良い。コントローラ１６４は更に、温度センサー（図８）からの温度を受け取り、安全な組織治療を提供すべくレーザーパワーを適応させるように構成された温度フィードバックループ１７６を含む。適正なパワーと波長のレーザー放射が脂肪組織に印加された時、それは組織、特に脂肪、を液化する。液化脂肪組織は除去されても良く、または体内に残されても良く、そこでそれは徐々に消失する。図６は、液化脂肪除去チャネルを持った、使い捨てレーザー放射伝達針の第三の例示的実施形態の概略描写である。図６Ａは、使い捨て針１００の断面である。針１００は、多数の液体伝導チャネル１８４を含んだ構造として実装された一種のジャケット１８０を有する。ジャケット１８０は、設備１６８に接続されても良く、それは独立型の設備であっても良く、液化脂肪およびその他の脂肪組織レーザー治療生成物除去のためのコントローラ１６４中に組み込まれていても良い。設備１６８の一部であるポンプ（図示せず）によって提供される吸引が、液化組織を除去する。光ケーブル１５６（図５）は、光ファイバーに加えて液体伝導チャネル１８４を、またはケーブル１５６中に含まれた別の液体伝導チャネルと通信している液体収集チェンバーを、有するように実装されても良い。
【００１７】
図６Ｂは、中空の光ガイド１８８を有する柔軟であるかまたは硬い針１８６を描いている。脂肪組織中に導入されたガイド１８８の開端は、サファイア、ダイヤモンド、またはＹＡＧのウィンドウ１９０によって終端されている。図６Ａの針と同様に、針１８６は、液化脂肪およびその他の脂肪組織レーザー治療生成物除去のためのチャネル１８４を有する。
【００１８】
図６Ｃは、その本体２０４がサファイアである、針２０２の描写である。そのような針は、その上への炭化レーザー治療生成物の堆積に対してプラスチックまたはガラス針よりも耐性がある。針２０２は、液体伝導チャネルを持ったジャケット（図示せず）を有していても良い。代替的に、ジャケットは好適な多孔度を持った多孔性材料で作られていても良い。
【００１９】
図７は、本開示の装置での組織治療の方法の概略描写である。脂肪組織２１０の治療のために、針１００または上記のあらゆるその他の針は、その第二端１１２によってコントローラ１６４に位置するレーザー放射のソース１６０に接続されている。針１００の第一端１０８は、被験者の皮膚または組織２１０を突刺し、治療されるべき脂肪組織２１０の標的容積２１８中への針１００の挿入を可能とする。コントローラ１６４は、脂肪組織２１０の標的容積２１８を照射するようにレーザーソース１６０を動作させる。一つ以上のレーザーソース１６０によって提供された放射は、少なくとも針１００の第一端１０８に隣接する脂肪組織２１０のセクションを液化する。コントローラ１６４は、レーザーソース１６０と同時に液化脂肪を除去する脂肪組織レーザー治療生成物除去設備１６８を動作させる。
【００２０】
組織溶解位置観察のプロセスを容易にするために、追加の第二のレーザー、ＨｅＮｅレーザーのような皮膚／組織を通して視認可能なレーザーが、針またはケーブル１５６に結合されていても良い。皮膚を通して視認可能であるこのレーザーは、治療提供者が針１００の第一端１０８を再位置付けするのを支援し得る。代替的実施形態では、温度に敏感なクリーム、または温度に敏感な液晶ペースト、または液晶フィルムが、治療された脂肪組織セクションに渡って組織上に塗られても良い。ペースト／クリームおよびフィルムは、Liquid Crystal Resources/Hallcrest, Inc. Glenview IL 60026 U.S.A.から商業的に入手可能なChromazone inkのようなものであっても良い。針１００は、治療の完了に際して処分されても良い。
【００２１】
図８は、使い捨てレーザー放射伝達針の第四の例示的実施形態の概略描写である。針２３０は上述した針のいずれかと同様である。それはハンドル２４０に接続し、光ケーブル２４４の助けを借りてコントローラ１６４に接続する。温度センサー２４８が、針２３０の第一端２５６に付き従い、組織表面２６２の温度を測定するように構成された片持ち梁２５２上に載置される。センサー２４８は、皮膚／組織の表面の温度を測定し、組織表面２６２への損傷を回避するのに治療が中断されるべきである時に表示をするかレーザーパワーを切断する。温度センサー２４８は、皮膚２６２と接触している接触センサーか、非接触センサーであっても良い。治療中には、組織２６４内の矢印２４２によって示されるように、提供者がハンドル２４０を前後に動かす。温度センサー２４８は、針２３０のレーザー放射を放出している第一端２５６に付き従い、治療された組織容積２６０に結合されたレーザーパワーを制御しているコントローラ１６４に組織／皮膚２６２の温度表示度数を提供する。コントローラ１６４のフィードバックループ１７６は、温度センサーを読み、安全性組織治療を提供すべくレーザーパワーを適応させるように構成されている。温度センサー２４８がそれに取り付けられた片持ち梁２５２は、ハンドル２４０の一部として、または取り外し可能で使い捨てまたは再利用可能な部分として、実装されても良い。
【００２２】
上述した通り、レーザー放射のソース１６０は、同じかまたは異なる波長で動作している一つ以上のレーザーソースを含んでいても良い。従って、追加の実施形態では、異なる波長を持った二つのレーザーソースからのレーザービームが、同時的脂肪組織（または脂肪）破壊および止血を最適化するのに使われることができる。レーザーの波長は、例えば、ＮｄＹＡＧレーザーによって提供される１，０６４マイクロメートル波長とレーザーダイオードによって提供される０．９マイクロメートル波長であっても良い。別の好適な波長の組は、１，０６４ミクロンと０．５３２ミクロンである。そのようなレーザー波長の組み合わせは、出血を低減し、脂肪除去手順をより安全にし、患者の回復時間を短縮する。
【００２３】
更に別の実施形態では、同じ針を通してガイドされた二つのレーザーは、各々異なる動作モードで動作しても良い。例えば、０．８０８ミクロン、０．９８０ミクロンまたは約１，５００ミクロンの波長を持った連続波（ＣＷ）レーザーが、容積を望ましい温度まで予め加熱して脂肪組織（脂肪）を液化するように脂肪組織の標的容積２１８（図７）に配送されても良い。
【００２４】
これに続いて、またはこれとほぼ同時に、組織を加熱するＣＷ動作するレーザー、パルス状ＩＲレーザー、例えばミリ秒以下またはミリ秒レンジのパルスを発生しているＨｏ−（ホルミウム）、Ｔｍ−（ツリウム）またはＥｒ：Ｙａｇ（エルビウムイットリウムアルミナムガーネット）レーザーが、同じ標的組織容積２１８に印加されても良い。レーザーパルスの経過中には、針１００の端１０８近くの標的組織（セルおよびセル間流体）が、パルスの終りにおいて崩壊する膨張するマイクロバブルを形成する過熱された（高圧の）ガスに変化する。パルス状のレーザーのアクションによって展開された機械的ストレスは、膜脂肪セル分裂とセルからの液化脂肪の開放のレートを増加させることができる。このレーザー放射の光学機械的アクションは、脂肪除去／吸引をより効率的にする。
【００２５】
図９は、本針を採用したレーザー支援リポサクションのための装置の追加の実施形態の概略描写である。光ファイバー型のコネクター１１６（図１、４、５）は、流体／液体伝導チャネル１８４（図６Ａ）がチューブ２７４を介してレーザー治療生成物除去設備１６８に直接接続するＴ型コネクター２３６として実装されても良い。これは、光ガイドだけを含むケーブル１５６の構造を簡略化する。
【００２６】
上に開示された装置は、皮膚引き締めのために使われても良い。ファイバーの第一端が真皮の下にある組織内に導入されるように、針が治療受診者中に皮下的に挿入される。レーザーソースは、針から真皮に伝達された適切なパワーの放射を放出し、放射は治療エリア内でのコラーゲン破壊および収縮を引き起こす。
【００２７】
上述した使い捨て針は、頻繁な針の取り外し、洗浄および割り剥がしの必要を未然に防ぐ連続した脂肪組織治療プロセスを可能とする。これは、治療時間を顕著に削減し、被験者の治療をより心地よいものとし、プロセスを簡略化する。
【００２８】
使い捨て針とそれを使用する方法の例示的実施形態が描写されて記載されてきたが、針とそれを使用する方法の精神と範囲に影響を与えることなくそこに様々な変更をすることができることが理解されるであろう。針とそれを使用する方法の範囲は、従って、以下の請求項を参照することによって規定される。
【図１】
2011509791.tif 000003
【図２】
2011509791.tif 000004
【図３Ａ】
2011509791.tif 000005
【図３Ｂ】
2011509791.tif 000006
【図４】
2011509791.tif 000007
【図５】
2011509791.tif 000008
【図６Ａ】
2011509791.tif 000009
【図６Ｂ】
2011509791.tif 000010
【図６Ｃ】
2011509791.tif 000011
【図７】
2011509791.tif 000012
【図８】
2011509791.tif 000013
【図９】
2011509791.tif 000014
【国際調査報告】
2011509791.tif 000015
2011509791.tif 000016
2011509791.tif 000017